(57)【要約】【課題】扉体のがたつきを長期的に軽減することにより、不正対策が強化された遊技機を提供する。【解決手段】支持体２には、ガラス板を保持する透過部材保持枠５が回転自在に枢支されている。透過部材保持枠５の開放端側には被係止孔２２が設けられる。一方、支持体２には、透過部材保持枠５が閉じられているときに、被係止孔２２に鉤片８２が係止して透過部材保持枠５の開放を抑止する係止部材７０が設けられている。さらに、支持体２には、係止部材７０に連係し、少なくとも被係止孔２２に対する鉤片８２の係止が解除された解錠位置から、被係止孔２２に鉤片８２が係止する施錠位置まで係止部材７０を移動する駆動力を付与するモーター装置Ｍが設けられている。このように、支持体２には、係止部材７０やモーター装置Ｍといった比較的重量の大きい部品が設けられ、透過部材保持枠５には被係止孔２２のみが設けられる。【選択図】図１８
2010187867.tif 000002
【特許請求の範囲】
【請求項１】
支持体と、
該支持体に回転可能に枢支され、該支持体に背面の一部または全部を接触させた閉位置から、上記背面と上記支持体とが離間した開位置まで回転する扉体と、を備え、
上記扉体には被係止部が設けられ、
上記支持体には、
少なくとも上記扉体が上記閉位置にあるときに、上記被係止部に係止して上記扉体の回転を抑止可能な係止部材と、
該係止部材に連係し、少なくとも上記被係止部との係止関係が断たれた解錠位置から上記被係止部に係止する施錠位置まで係止部材を移動する駆動力を付与する駆動源と、が設けられてなることを特徴とする遊技機。
【請求項２】
上記扉体には、上記係止部材に連係し、所定の鍵の操作によって該係止部材を上記施錠位置から解錠位置まで移動させる錠機構と、
上記係止部材が被係止部に係止可能な範囲にあることを検知する検知手段と、
該検知手段の検知信号に基づいて上記駆動源を制御し、上記係止部材を上記解錠位置から施錠位置まで移動させる制御手段と、を備えたことを特徴とする請求項１記載の遊技機。
【請求項３】
上記駆動源は、上記支持体の幅方向中央を境にして上記支持体の枢支位置よりも、扉体の開放側に固定されてなることを特徴とする請求項１または２記載の遊技機。
【発明の詳細な説明】
【技術分野】
【０００１】
本発明は、遊技盤やガラス等を保持した扉体を支持体に施錠する機構を備えた遊技機に関する。
【背景技術】
【０００２】
一般的な遊技機においては、遊技盤を保持する遊技盤保持枠や、遊技盤の前面を覆うガラスなどからなる透過部材を保持する透過部材保持枠などの扉体が支持体に枢支されており、何らかの不具合が生じた際には、扉体を開放してメンテナンスが行われる。こうした遊技機には、遊技者が扉体を無断で開放して不正が行われないように、当然のことながら施錠機構が設けられている。
また、支持体に対して扉体ががたつくと、両者の間に隙間が生じやすくなり、こうした隙間から工具等を侵入させて不正が行われる可能性がある。そこで、特許文献１に示す遊技機においては、磁気吸引力によって扉体と支持体とのがたつきをなくすようにしている。
【０００３】
しかしながら、扉体には、ガラス、遊技盤、演出用の可動役物やその駆動源、ランプやスピーカー等、実に多くの部品が備えられており、扉体の重量は一般的に極めて重くなる。このような扉体を磁気吸引力によって支持体に引きつけても、実際上、両者のがたつきをなくすのは困難である。
一方で、特許文献２には、モーターと、モーターの駆動力によって可動する施錠機構とが扉体に設けられ、モーターの駆動力によって扉体の開閉を行う遊技機が開示されている。この遊技機のように、モーターの駆動力によって施錠を行えば、遊技盤やガラス等の重たい部材を保持する扉体を、確実にかつ強固に支持体に密着させることができ、磁気吸引力に比べて、施錠状態における両者間のがたつきを軽減させることができると考えられる。
【先行技術文献】
【特許文献】
【０００４】
【特許文献１】特開２００６−１７４９４４号公報
【特許文献２】特開２００７−３１９５３６号公報
【発明の概要】
【発明が解決しようとする課題】
【０００５】
上記のように、モーターの駆動力によって扉体と支持体との開閉を行うようにすれば、支持体に対して扉体を強固に密着させてがたつきを軽減させることができるが、がたつきの軽減を長期的に持続するのは困難である。なぜなら、すでに説明したとおり扉体の重量は重く、こうした中でさらに施錠機構やモーター等の駆動源が扉体に取り付けられることとなれば、扉体の重量が一層増すこととなり、何度も扉体を開閉するうちに、ヒンジ等の両者の連結部分が次第に歪み始めて、がたつきが生じることとなってしまうからである。
このように、従来の遊技機によれば、長期的にも扉体が支持体に対してがたつきにくく、確実な不正対策の向上を図ることができないという問題があった。
【０００６】
本発明は、扉体のがたつきを長期的に軽減することにより、不正対策が強化された遊技機を提供することを目的とする。
【課題を解決するための手段】
【０００７】
請求項１に記載の発明は、支持体と、該支持体に回転可能に枢支され、該支持体に背面の一部または全部を接触させた閉位置から、上記背面と上記支持体とが離間した開位置まで回転する扉体と、を備え、上記扉体には被係止部が設けられ、上記支持体には、少なくとも上記扉体が上記閉位置にあるときに、上記被係止部に係止して上記扉体の回転を抑止可能な係止部材と、該係止部材に連係し、少なくとも上記被係止部との係止関係が断たれた解錠位置から上記被係止部に係止する施錠位置まで係止部材を移動する駆動力を付与する駆動源と、が設けられてなることを特徴とする。
【０００８】
請求項２に記載の発明は、上記扉体には、上記係止部材に連係し、所定の鍵の操作によって該係止部材を上記施錠位置から解錠位置まで移動させる錠機構と、上記係止部材が被係止部に係止可能な範囲にあることを検知する検知手段と、該検知手段の検知信号に基づいて上記駆動源を制御し、上記係止部材を上記解錠位置から施錠位置まで移動させる制御手段と、を備えたことを特徴とする。
【０００９】
請求項３に記載の発明は、上記駆動源が、上記支持体の幅方向中央を境にして上記支持体の枢支位置よりも、扉体の開放側に固定されてなることを特徴とする。
【００１０】
本発明の扉体は、支持体に回転可能に枢支されるものを広く含むものであり、支持体に背面の一部または全部を接触させた閉位置から、当該接触が解消されて両者が離間した開位置まで回転するものであれば、その詳細な構造や形状、あるいは役割等は限定されない。したがって、例えば、扉体は、遊技盤を保持する遊技盤保持枠であってもよいし、遊技盤の前面を覆う透過部材保持枠であってもよい。また、これらとは別の部材を保持した枠であってもよいし、さらには枠体にも限らない。
また、支持体に対する扉体の枢支は、ヒンジ等の何らかの部材を介して実現してもよいし、あるいは両者の一部を接合させて実現してもよい。このとき、扉体が支持体に直接枢支されるようにしてもよいし、他の部材や部品を介して間接的に枢支されるようにしてもよい。
【００１１】
本発明において、係止部材および被係止部の構造や形状は特に限定されない。いずれにしても、係止部材が可動可能に設けられ、その一部が可動によって被係止部に係止して、扉体の開放が抑止されるものであればよい。したがって、孔や凹み、あるいは扉体または支持体に一体または別部材で設けられた突起等も、本発明の被係止部に相当する。
本発明の駆動源は、モーターやソレノイド等、係止部材が可動する動力を供給するものであればよい。また、駆動源は、係止部材を解錠位置から施錠位置まで移動させる動力を供給すれば、係止部材を施錠位置から解錠位置まで移動させる動力の供給の有無は問わない。
【００１２】
請求項２に記載の発明は、係止部材を施錠位置から解錠位置まで移動させる錠機構を備えており、当該錠機構に対する錠の操作によって扉の開放をすることができれば、これに加えて、さらに駆動源の動力によっても扉の開放が可能となるようにしてもよい。ただし、この場合には、駆動源の動力を要せずに錠の操作によって扉を開放することができなければならない。
また、検知手段には、例えば磁気を検出する磁気センサや光を検出する光センサ等が用いられるが、これに限らず、係止部材が被係止部に係止可能な範囲にあることを検知するものであれば特に限定されない。
請求項３に記載の発明において、支持体の幅方向というのは、扉体を枢支する位置側から、扉体が閉じられる過程で最後に扉体が支持体に接触する位置側までを結ぶ方向である。
【発明の効果】
【００１３】
本発明によれば、駆動源の動力によって係止部材を解錠位置から施錠位置まで移動させるので、扉体が重いものであっても、支持体に対して扉体を密着させて施錠することが可能となり、支持体に対する扉体のがたつきを軽減して、不正対策を強化することができる。
しかも、駆動源や係止部材を支持体側に設けたので、これら駆動源や係止部材を設けたことによる重量増に起因して、扉体が支持体に対して歪むことがなくなり、長期的にがたつきの軽減を実現することができる。
【図面の簡単な説明】
【００１４】
【図１】透過部材保持枠の開放状態を示す斜視図である。
【図２】遊技機の正面図である。
【図３】遊技機の側面図である。
【図４】透過部材保持枠の背面図である。
【図５】錠機構の中立状態を示す斜視図である。
【図６】鍵をｘ方向に回転させたときの錠機構の状態を示す斜視図である。
【図７】鍵をｙ方向に回転させたときの錠機構の状態を示す斜視図である。
【図８】遊技盤保持枠の側面を部分的に拡大した図である。
【図９】透過部材保持枠に遊技盤保持枠を保持する過程を示す簡易説明図である。
【図１０】透過部材保持枠および遊技盤保持枠が互いに保持された状態の背面図である。
【図１１】錠機構が中立状態にあるときの遊技盤保持枠の背面を部分的に拡大した斜視図である。
【図１２】鍵をｙ方向に回転させたときの遊技盤保持枠の背面を部分的に拡大した斜視図である。
【図１３】支持体を部分的に拡大して簡易的に示した断面図である。
【図１４】支持体に遊技盤保持枠を保持する過程を示す簡易説明図である。
【図１５】解錠位置にある係止部材と、透過部材保持枠を支持体に対して閉じた状態の錠機構との関係を示す図である。
【図１６】図１５を部分的に拡大した斜視図である。
【図１７】施錠位置にある係止部材と、透過部材保持枠を支持体に対して閉じた状態の錠機構との関係を示す図である。
【図１８】図１７を部分的に拡大した斜視図である。
【図１９】係止孔に鉤部材が係止する過程を説明する図である。
【図２０】モーター装置を模して示した説明図である。
【図２１】モーター装置と係止部材との連係部分を示す部分拡大図である。
【図２２】モーター装置と係止部材との連係およびロック部材の退避位置から抑止位置への移動を示す説明図である。
【図２３】モーター装置の駆動を制御する制御手段のブロック図である。
【発明を実施するための形態】
【００１５】
以下、本発明の実施形態について図面を参照しながら具体的に説明する。
図１に示すように、遊技機１は、支持体２と、この支持体２に回転可能に枢支された扉体３とを備えている。支持体２は、上板２ａ、下板２ｂ、側板２ｃ，２ｄによって四辺を構成する枠体からなる。各板２ａ〜２ｄは、変形や歪みが生じにくい木材等を材質とするもので、略長方形状に囲繞空間が形成されるように連結金具によって連結されている。
そして、これら連結金具のうち、上板２ａと側板２ｃとを連結する金具および側板２ｃと下板２ｂとを連結する金具には、一対のヒンジ４ａ，４ｂが、遊技機１の前面側に突出した位置で対面するように固定されている。
【００１６】
そして、一対のヒンジ４ａ，４ｂには、扉体３が回転可能に枢支されている。扉体３は、支持体２に対して開閉可能となるものであり、本実施形態においては、透過部材保持枠５と遊技盤保持枠６とによって扉体３が構成されている。なお、図１は、支持体２に対して透過部材保持枠５が開放され、遊技盤保持枠６が支持体２に対して閉じられた状態を示している。これら透過部材保持枠５および遊技盤保持枠６は、その背面の一部または全部を支持体２の前面に接触させ、支持体２、透過部材保持枠５および遊技盤保持枠６が略平行となる閉位置から、上記背面が支持体２の前面から離間した開位置まで回転する。
【００１７】
透過部材保持枠５は、支持体２と同様に、上辺５ａ、下辺５ｂ、側辺５ｃ，５ｄからなる四辺によって略長方形状の囲繞空間が形成される枠体からなり、後述する遊技盤１７の前面を覆う透過部材７が囲繞空間に固定される。本実施形態においては、透明のガラス板によって透過部材７を構成しているが、この透過部材７を介して後述する遊技盤１７が見えるものであれば、その材質や形状は特に問わず、例えば合成樹脂等によって構成してもよい。また、透過部材保持枠５の材質も特に問わないが、軽量化や装飾性の向上の目的から合成樹脂性とすることが望ましく、特にこの場合には補強金具８を固定して歪みや変形を防止するとよい。
【００１８】
なお、図２に示すように、遊技機１の前面すなわち透過部材保持枠５の前面には、装飾ランプ９、遊技球を発射するための操作ハンドル１０、払い出された賞球を溜める上皿１１、スピーカー１２が固定されている。また、図１に示すように、上記の補強金具８や、上皿１１に賞球を送球する供給路１３、装飾ランプ９の照射方向を変更するためのモーター等を制御する制御基板１４が、遊技機１の背面側に位置するように設けられている。
図１および図２からも明らかなように、透過部材保持枠５の上辺５ａおよび下辺５ｂは、支持体２の上板２ａおよび下板２ｂと長さを等しくしており、透過部材保持枠５を閉じて、支持体２および透過部材保持枠５が略平行になったとき（透過部材保持枠５が閉位置にあるとき）に、上辺５ａが上板２ａに、側辺５ｃ，５ｄが側板２ｃ，２ｄに、それらの外周面が面一の状態で重なる。したがって、遊技機１を正面から見たときに、支持体２の上板２ａおよび側板２ｃ，２ｄは、透過部材保持枠５に覆われて見えなくなる。ただし、側辺５ｃ，５ｄは、側板２ｃ，２ｄよりも短く形成されており、支持体２の下板２ｂが遊技機１の正面側に露出する。支持体２の下板２ｂは、上板２ａや側板２ｃ，２ｄに比べて厚く形成されており、その正面側に装飾部材１５が固定されている。
【００１９】
そして、透過部材保持枠５には、側辺５ｃの上方に突出する枢支軸１６ａ、および側辺５ｃの下方に突出する枢支軸１６ｂが固定されており、枢支軸１６ａがヒンジ４ａに、枢支軸１６ｂがヒンジ４ｂに回転可能に枢支されている。これにより、透過部材保持枠５が支持体２に対して開閉可能に支持されることとなる。なお、透過部材保持枠５を支持体２に回転可能に枢支する構造は上記に限らず、例えば、透過部材保持枠５の側辺５ｃの一部を凸状に形成し、この凸状部分をヒンジ４ａ，４ｂや支持体２に直接嵌合させて枢支するようにしてもよい。
【００２０】
また、ヒンジ４ａ，４ｂには、透過部材保持枠５と同様に、遊技盤保持枠６が回転可能に枢支されている。図１に示すように、遊技盤保持枠６は、上辺６ａ、下辺６ｂ、側辺６ｃ，６ｄからなる四辺によって略長方形状の囲繞空間が形成される枠体からなり、この囲繞空間に図２に示す遊技盤１７が固定される。遊技盤１７の前面には、複数の釘や風車、遊技球が入球可能な各種の入賞口、演出用の役物等が設けられており、その略中央部分に形成された孔に演出用の液晶表示装置１８が固定されている。透過部材保持枠５および遊技盤保持枠６が閉じられて遊技が可能な状態では、遊技盤１７に所定の間隔を維持して略平行に透過部材７が対面するとともに、遊技盤１７の前面が透過部材７によって覆われる。
説明の都合上、図１においては遊技盤１７を省略しているが、遊技盤１７の背面には遊技の進行を制御するさまざまな制御基板が固定されている。また、遊技盤保持枠６において、遊技盤１７の固定位置の下方には、スピーカー１９や、操作ハンドル１０の操作に応じて遊技領域に遊技球を発射する発射装置２０等が固定され、その背面にはさらに各種の制御基板が固定されている。
【００２１】
ここで、遊技盤保持枠６は、支持体２および透過部材保持枠５に比べて一回り小さく形成されている。より詳細には、上辺６ａ、下辺６ｂ、側辺６ｃ，６ｄは、透過部材保持枠５の上辺５ａ、下辺５ｂ、側辺５ｃ，５ｄよりもそれぞれ少しずつ短く形成されている。また、透過部材保持枠５の上辺５ａおよび側辺５ｄは、透過部材保持枠５が閉じる方向に厚さを有しており、これら上辺５ａおよび側辺５ｄが、透過部材７や補強金具８よりも背面側に突出するようにしている。そして、透過部材保持枠５を閉じた状態では、遊技盤保持枠６の上辺６ａおよび側辺６ｄが、支持体２および透過部材保持枠５よりも内側に収容される。また、図３に示すように、透過部材保持枠５が閉じられた状態では、上辺５ａの背面と上板２ａの前面とが接触し、側辺５ｄの背面と側板２ｄの前面とが接触する寸法関係を維持している。したがって、遊技盤保持枠６は、支持体２および透過部材保持枠５の内側に位置して、少なくとも遊技機１の上方および側方（側辺５ｄ側）から見えなくなる。
【００２２】
上記の構成からなる透過部材保持枠５および遊技盤保持枠６は、施錠機構によって支持体２に施錠されるが、その構造について以下に説明する。
図４は、透過部材保持枠５の背面を簡略化して示した平面図である。透過部材保持枠５の背面には、側辺５ｄの長手方向に沿って金属板２１が固定されている。この金属板２１には、本発明の被係止部を構成する被係止孔２２が形成されている。詳しくは後述するが、この被係止孔２２に、支持体２に設けられた鉤部材７８の鉤片８２が掛け止められることにより、透過部材保持枠５が支持体２に施錠される（図１７参照）。
なお、被係止孔２２は金属板２１を貫通しているが、透過部材保持枠５の平面やこの平面に設けられた装飾用の部材等により、遊技機１の正面からは被係止孔２２が見えないようになっている（図２参照）。
【００２３】
また、金属板２１の下部位置すなわち透過部材保持枠５の開放側の背面には、錠機構３０が設けられている。この錠機構３０は、透過部材保持枠５の前面側から所定の鍵を操作することにより、図５〜図７に示すように可動する。
図５は、錠機構３０の中立状態を示している。金属板２１に固定された固定板３１にはシリンダＳ（図５においては不図示、図１５〜図１８参照）が設けられており、このシリンダＳに形成された鍵穴３２を透過部材保持枠５の前面に露出させている（図２参照）。このシリンダＳにはピン３３が連結しており、鍵穴３２に所定の鍵を挿入して回転させると、ピン３３が回転するとともに、このピン３３に固定された回転部材３４が回転する。
【００２４】
また、固定板３１には、ガイドピン３５が３つ固定されており、これらガイドピン３５によって、前板３６、中板３７、後板３８が積層状態で挟持されている。そして、前板３６の下部位置にはフック３６ａが設けられ、後板３８の上部位置には上記フック３６ａに対面するようにフック３８ａが設けられ、これら両フック３６ａ，３８ａ間にスプリング３９が架け渡されている。前板３６は、スプリング３９の弾性力によって図中上方に引っ張られ、長穴３６ｂの下辺がガイドピン３５に当接したところで図示のように静止している。また、後板３８は、スプリング３９の弾性力によって図中下方に引っ張られ、長穴３８ｂの上辺がガイドピン３５に当接したところで図示のように静止している。
なお、中板３７は、ガイドピン３５に固定されており、スプリング３９や鍵の操作によって移動することはない。
【００２５】
そして、前板３６、中板３７、後板３８には、その中央部を大きく貫通させた孔が形成されており、この孔に連続するように切り欠き部３６ｃ〜３８ｃが形成されている。上記の回転部材３４は、これら前板３６、中板３７、後板３８の孔および切り欠き部３６ｃ〜３８ｃ内に位置するようにしている。なお、図示のとおり、錠機構３０の中立状態においては、回転部材３４の先端に設けられた起立壁３４ａが、前板３６の切り欠き部３６ｃの下辺に当接し、後板３８の切り欠き部３８ｃの上辺に当接している。
また、前板３６および後板３８は、長穴３６ｂおよび長穴３８ｂの範囲内で上下方向に可動可能であるが、図示の中立状態においては、前板３６は可動範囲の中でもっとも上方に位置し、後板３８は可動範囲の中でもっとも下方に位置している。
【００２６】
図示の中立状態から、鍵穴３２に所定の鍵を挿入して図中ｘ方向に回転させると、図６に示すように、ピン３３と一体となって回転部材３４が回転する。回転部材３４がｘ方向に回転すると、スプリング３９の弾性力に抗して、起立壁３４ａが後板３８の切り欠き部３８ｃ上辺を図中上方に押し上げる。このとき、回転部材３４は、中立状態にある前板３６の切り欠き部３６ｃの範囲内で回転するので、前板３６は図示のとおり静止したままである。
【００２７】
一方、錠機構３０の中立状態から、鍵穴３２に所定の鍵を挿入して図中ｙ方向に回転させると、図７に示すように、ピン３３と一体となって回転部材３４が回転する。回転部材３４がｙ方向に回転すると、スプリング３９の弾性力に抗して、起立壁３４ａが前板３６の切り欠き部３６ｃ下辺を図中下方に押し下げる。このとき、回転部材３４は、中立状態にある後板３８の切り欠き部３８ｃの範囲内で回転するので、後板３８は図示のとおり静止したままである。
なお、図６または図７に示すように、後板３８が上方に押し上げられた状態または前板３６が下方に押し下げられた状態で、鍵穴３２に挿入された鍵から手を離すと、スプリング３９の弾性力によって、前板３６および後板３８は図５に示す中立状態に復帰する。
【００２８】
そして、金属板２１には、透過部材保持枠５（遊技盤保持枠６）に遊技盤保持枠６（透過部材保持枠５）を保持するための第１保持手段４０が設けられている。この第１保持手段４０は、後板３８に一体に形成された第１保持部材４０ａと、金属板２１に設けられた第１ガイド４０ｂとからなり、第１保持部材４０ａは第１ガイド４０ｂに沿って、後板３８とともに図５に示す中立状態から図６に示すように上方に移動する。
また、図８に示すように、遊技盤保持枠６には、側辺６ｄの前面であって上記第１保持手段４０に対面する位置に透過部材保持枠掛け止め片５０が設けられている。この透過部材保持枠掛け止め片５０は、先端から基端に向かって上方に傾斜する傾斜面５０ａと、この傾斜面５０ａに連続するとともに、側辺６ｄの前面と平行な保持面５０ｂとを有している。
【００２９】
そして、透過部材保持枠５と遊技盤保持枠６とを互いに近づけると、言い換えれば透過部材保持枠５を遊技盤保持枠６に対して閉じると、図９（ａ）に示すように、透過部材保持枠５に設けられた第１保持手段４０の第１保持部材４０ａに、透過部材保持枠掛け止め片５０の傾斜面５０ａが接触する。
この状態で、透過部材保持枠５を遊技盤保持枠６にさらに押し付けると、図９（ｂ）に示すように、透過部材保持枠掛け止め片５０の傾斜面５０ａに沿って第１保持部材４０ａが上方に移動する。上述のとおり、第１保持部材４０ａは後板３８に一体成形されているため、第１保持部材４０ａが上方に移動すると、後板３８もスプリング３９の弾性力に抗して一体的に上方に移動する。つまり、第１保持部材４０ａと傾斜面５０ａとの間に生じる抵抗力と、スプリング３９の弾性力との合成力以上の押圧力で透過部材保持枠５を遊技盤保持枠６に押し付けることにより、第１保持部材４０ａは、傾斜面５０ａに沿うようにして上方に移動する。
そして、第１保持部材４０ａが傾斜面５０ａの終端にまで到達すると、今度はスプリング３９の弾性力と自重によって後板３８と一体的に第１保持部材４０ａが下方に押し下げられる。これにより、図９（ｃ）に示すように、透過部材保持枠掛け止め片５０の保持面５０ｂと、遊技盤保持枠６の側辺６ｄの前面との間に第１保持部材４０ａが進入し、透過部材保持枠５に遊技盤保持枠６が保持されることとなる。
【００３０】
このように、透過部材保持枠５に遊技盤保持枠６が保持された状態においては、保持面５０ｂと第１保持部材４０ａとによって、透過部材保持枠５を遊技盤保持枠６に対して開くことができなくなる。
これに対して透過部材保持枠５および遊技盤保持枠６を互いに開放する場合には、図９（ｃ）に示す状態から、鍵穴３２に挿入した鍵を上記ｘ方向に回転させ、後板３８を上方に押し上げたまま透過部材保持枠５を開けばよい（図６）。後板３８が上方に押し上げられると、これと一体となって第１保持部材４０ａが上方に移動して透過部材保持枠掛け止め片５０の移動軌跡上から退避し、透過部材保持枠５を遊技盤保持枠６に対して開くことができる。
なお、図５〜図７に示すように、後板３８には、透過部材保持枠５を閉じる方向（透過部材保持枠５の背面）に垂直に起立する解錠阻止片４１が設けられている。この解錠阻止片４１には、上方から下方に向かって徐々に起立高さが高くなるように、阻止面４１ａが形成されている。この阻止面４１ａは、透過部材保持枠５が支持体２に施錠された状態で、後板３８が上方に移動するのを阻止するために設けられているが、その詳細については後述する。
【００３１】
また、前板３６には、上記の解錠阻止片４１と同様に、透過部材保持枠５を閉じる方向に垂直に起立するロック解除片４２が設けられている。このロック解除片４２には、上方から下方に向かって徐々に起立高さが低くなるように、解除面４２ａが形成されている。この解除面４２ａは、解錠阻止片４１の阻止面４１ａに対して、その厚さ分だけずらした位置において臨んでおり、図５に示す中立状態から後板３８を上方に押し上げたり、あるいは前板３６を下方に押し下げたりすると、解除面４２ａと阻止面４１ａとの対向間隔が小さくなる。なお、この解除面４２ａと阻止面４１ａとの間には、後述するロック部材８４が両面４２ａ，４１ａに臨むようにして位置することとなるが、その詳細については後述する。
さらに、前板３６には、ロック解除片４２の下方に保持解除片４３が設けられている。この保持解除片４３は、遊技盤保持枠６の背面に設けられた第２保持手段５２に連係するもので、前板３６と一体となって図５に示す位置から図７に示す位置まで移動する。
【００３２】
図１０〜図１２を用いて、保持解除片４３および第２保持手段５２について説明する。
図１０は、図９（ｃ）に示すように、透過部材保持枠５の背面に設けられた第１保持手段４０に、遊技盤保持枠６の前面に設けられた透過部材保持枠掛け止め片５０が掛け止められた状態を、遊技盤保持枠６の背面側から見た図である。つまり、透過部材保持枠５と遊技盤保持枠６とが所定の間隔を維持して略平行に対面した状態を、遊技盤保持枠６の背面側から見た図である。ただし、図１０においては、遊技盤１７や、遊技盤保持枠６に取り付けられるスピーカー１９、発射装置２０等を省略している。
すでに説明したとおり、遊技盤保持枠６は透過部材保持枠５よりも一回り小さく形成されており、しかも、側辺６ｄ側の外縁を一部切り欠いて、透過部材保持枠５に設けられた金属板２１の被係止孔２２，２２が露出するようにしている。
また、遊技盤保持枠６の側辺６ｄ側下部には貫通孔５１が形成されており、この貫通孔５１を、透過部材保持枠５の背面に設けられた錠機構３０の解除阻止片４１、ロック解除片４２、保持解除片４３が貫通し、遊技盤保持枠６の背面側に露出するようにしている。
【００３３】
そして、図１１に示すように、遊技盤保持枠６の背面には、貫通孔５１に隣接するように第２保持手段５２が設けられている。この第２保持手段５２は、遊技盤保持枠６の側辺６ｄに沿って設けられた第２ガイド５３と、この第２ガイド５３に沿って上下方向に移動する第２保持部材５４とを備えている。また、第２保持部材５４は、第２ガイド５３よりも下方に突出した後、貫通孔５１側に向かって屈曲するＬ型先端部５４ａを有している。なお、第２保持手段５２には、第２保持部材５４を上方に押し上げるように弾性力を付与する不図示のスプリングが設けられている。
図１１は、錠機構３０の中立状態すなわち前板３６の中立状態を示しているが、この中立状態において、前板３６に設けられた保持解除片４３の下辺に、Ｌ型先端部５４ａが接触している。
【００３４】
そして、図１１に示す状態から、鍵穴３２に鍵を挿入してｙ方向に回転させると、前板３６と一体となってロック解除片４２および保持解除片４３が下方へ移動する（図７）。すると、図１２に示すように、保持解除片４３がＬ型先端部５４ａを下方へ押し下げて、第２保持部材５４が第２ガイド５３に沿って下方へ移動する。
また、図１３（ａ）は、支持体２の側板２ｄを上方から見た状態を簡易的に示した部分断面図であり、図１３（ｂ）は、支持体２の側板２ｄを外方から見た状態を簡易的に示した部分側面図である。この図に示すように、支持体２には、側板２ｄの内側面であって上記第２保持手段５２に対面する位置に遊技盤保持枠掛け止め片６０が設けられている。この遊技盤保持枠掛け止め片６０は、先端から基端に向かって下方に傾斜する傾斜面６０ａと、この傾斜面６０ａに連続するとともに側板２ｄの長手方向に沿った保持面６０ｂとを有している。
【００３５】
そして、図１４（ａ）に示すように、遊技盤保持枠６が開いた状態から遊技盤保持枠６を支持体２に近づけると、言い換えれば、遊技盤保持枠６を支持体２に対して閉じると、図１４（ｂ）に示すように、遊技盤保持枠６の背面に設けられた第２保持手段５２の第２保持部材５４に、遊技盤保持枠掛け止め片６０の傾斜面６０ａが接触する。
この状態で、遊技盤保持枠６を支持体２にさらに押し付けると、図１４（ｃ）に示すように、遊技盤保持枠掛け止め片６０の傾斜面６０ａに沿って第２保持手段５２の第２保持部材５４が下方に移動する。つまり、第２保持部材５４と傾斜面６０ａとの間に生じる抵抗力と、第２保持部材５４に対して上方に作用するスプリングの弾性力との合成力以上の押圧力で遊技盤保持枠６を支持体２に押し付けることにより、第２保持部材５４は、傾斜面６０ａに沿うようにして下方に移動する。
【００３６】
そして、図１４（ｃ）に示すように、第２保持部材５４が傾斜面６０ａの終端にまで到達すると、今度はスプリングの弾性力によって第２保持部材５４が上方に押し上げられる。これにより、図１４（ｄ）に示すように、遊技盤保持枠掛け止め片６０の保持面６０ｂに、第２保持部材５４が掛け止められる。したがって、遊技盤保持枠６は、支持体２に対して開くことができなくなる。
これに対して遊技盤保持枠６を支持体２に対して開く場合には、図１４（ｄ）に示す状態で、鍵穴３２に挿入した鍵を上記ｙ方向に回転させ、前板３６を下方に押し下げたまま遊技盤保持枠６を開けばよい。前板３６が下方に押し下げられると、これと一体となって第２保持手段５２の第２保持部材５４が下方に移動するとともに、第２保持部材５４が遊技盤保持枠掛け止め片６０の移動軌跡上から退避して、遊技盤保持枠６を支持体２に対して開くことができる（図７、図１２）。
【００３７】
上記したように、第２保持手段５２に遊技盤保持枠掛け止め片６０が掛け止められることで遊技盤保持枠６を支持体２に対して開くことができなくなり、第１保持手段４０に透過部材保持枠掛け止め片５０が掛け止められることで透過部材保持枠５と遊技盤保持枠６とを互いに開くことができなくなる。
ただし、これらの構造だけでは、工具等を使って容易に両枠５，６が開放されてしまう。本実施形態においては、上記の構造によって透過部材保持枠５や遊技盤保持枠６を仮止めしているに過ぎず、遊技機１の本来の施錠は、後述する係止部材７０によって行うようにしている。以下に、遊技機１の施錠つまり透過部材保持枠５および遊技盤保持枠６の支持体２に対する施錠について説明する。
【００３８】
図１５は、支持体２の側板２ｄ内側に固定される係止部材７０の正面図であるが、この図においては、透過部材保持枠５を支持体２に対して閉じた状態の金属板２１および錠機構３０を一体的に示している。
係止部材７０は、支持体２の側板２ｄ内側に、その長手方向に沿って固定されるガイド金具７１を備えている。このガイド金具７１には、平面７１ａよりも凹んだガイド溝７１ｂが、その長手方向に沿って形成されており、このガイド溝７１ｂに沿ってスライド部材７２がスライドするようにしている。
スライド部材７２は、その幅をガイド溝７１ｂの幅よりも僅かに狭く、かつ、ガイド金具７１よりも短く形成された細長形状の金属板によって構成されている。スライド部材７２には、長孔７３が複数形成されており、この長孔７３を貫通するように、ガイドピン７４がガイド金具７１に固定されている。したがって、スライド部材７２は、長孔７３の範囲内で上下方向にスライド可能となる。
【００３９】
また、ガイド金具７１の上部にはスプリングからなる付勢手段７５の一端が固定され、この付勢手段７５の他端がスライド部材７２に固定されている。スライド部材７２には、それを上方に引き上げる付勢手段７５の付勢力が常時作用しており、通常、平面部７１ａに固定されたストッパー７６に、スライド部材７２の段部７７が接触したところでスライド部材７２は静止している。
そして、ガイド金具７１の平面部７１ａには、所定の間隔をあけて一対の鉤部材７８が設けられている。図１６からも明らかなように、この鉤部材７８は、回動ピン７９によってガイド金具７１の平面部７１ａに回動可能に取り付けられている。また、鉤部材７８には、長孔８０が形成されており、この長孔８０を貫通するように、平面部７１ａにガイドピン８１が固定されている。したがって、鉤部材７８は、回動ピン７９を支点にして長孔８０の範囲内で回動可能となる。
なお、スライド部材７２には、鉤部材７８を上下方向から挟み込む挟持片８３ａ，８３ｂが設けられており、スライド部材７２が上下方向にスライドすると、挟持片８３ａ，８３ｂが鉤部材７８を押し上げたり押し下げたりして、鉤部材７８が回動することとなる。本実施形態においては、スライド部材７２および鉤部材７８が図１５および図１６に示すように静止する位置を係止部材７０の解錠位置という。
【００４０】
そして、鉤部材７８は、透過部材保持枠５の背面に固定された金属板２１の被係止孔２２を貫通する鉤片８２を有しており、この鉤片８２が被係止孔２２に係止することによって遊技機１の施錠が行われるようにしている。なお、本実施形態においては、鉤部材７８の図示の位置を非係止位置という。
【００４１】
さらに、係止部材７０には、ガイド金具７１の平面７１ａの下方であって錠機構３０に対面する位置にロック部材８４が設けられている。このロック部材８４は、回動ピン８５によって回動可能に平面７１ａに取り付けられている。ロック部材８４の下端には、スプリング８６の一端が取り付けられ、このスプリング８６の他端がスライド部材７２を跨ぐようにしてガイド金具７１の平面７１ａに取り付けられている。ロック部材８４には、スプリング８６の弾性力によって常に時計回り方向へ回動する力が付与されているが、係止部材７０が解錠位置にあるとき、ロック部材８４の下端に設けられたロック用突部８４ａが、スライド部材７２に設けられたロック片８７に接触する。これにより、ロック部材８４は、図示の位置で静止することとなる。なお、本実施形態においては、ロック部材８４の図示の位置を退避位置という。
【００４２】
そして、図１５および図１６に示すように、係止部材７０が解錠位置にある状態、すなわち鉤部材７８が非係止位置に、ロック部材８４が退避位置にある状態から、スライド部材７２が付勢手段７５の付勢力に抗して図中下方に押し下げられると、図１７および図１８に示す状態となる。
すなわち、スライド部材７２が下方に押し下げられると、挟持片８３ａが鉤部材７８に接触して、回動ピン７９を支点にして図１７および図１８に示す位置まで回動する。この鉤部材７８の回動過程で、鉤片８２が被係止孔２２に掛け止められるとともに、透過部材保持枠５が金属板２１と一体的に支持体２に引きつけられて施錠される。
【００４３】
より詳細には、図１９に示すように、鉤部材７８の鉤片８２には、鉤部材７８の回動過程で金属板２１の被係止孔２２に当接する当接面８２ａが設けられている。この当接面８２ａは、金属板２１すなわち透過部材保持枠５が閉じる方向に凸状に湾曲している。
そして、遊技機１を施錠する際には、まず、図１９（ａ）に示すように、鉤部材７８を非係止位置に位置させる。また、透過部材保持枠５を閉位置まで回転させ、鉤片８２が被係止孔２２を貫通するとともに、この被係止孔２２を当接面８２ａの移動軌跡上に進入させる。なお、支持体２に対して透過部材保持枠５を閉じるときに、金属板２１に鉤片８２が接触しないような寸法関係が維持されている。
【００４４】
この状態で、スライド部材７２を下方に押し下げると、図１９（ｂ）に示すように、鉤部材７８が回動して当接面８２ａが被係止孔２２に当接する。この状態から引き続きスライド部材７２を下方に押し下げると、図１９（ｃ）に示すように、被係止孔２２の下端すなわち金属板２１が当接面８２ａに沿って引き寄せられる。このとき、当接面８２ａは、透過部材保持枠５が閉じる方向に凸状に湾曲しているので、透過部材保持枠５が閉じる過程で金属板２１を引き寄せる力が徐々に強くなる。
【００４５】
そして、図１９（ｄ）に示すように、鉤片８２が完全に金属板２１の前面側に貫通したところでスライド部材７２が静止することにより、金属板２１すなわち透過部材保持枠５を支持体２に対して開くことができなくなり、遊技機１が施錠される。なお、図１９（ｄ）に示す位置が鉤部材７８の係止位置であり、このとき、透過部材保持枠５の上辺５ａおよび側片５ｄの背面は、支持体２の上板２ａおよび側板２ｄの前面に圧接している。つまり、被係止孔２２（金属板２１）が当接面８２ａによって支持体２に引き寄せられた状態で、遊技機１の施錠状態が維持されることとなる。
【００４６】
上記のように、遊技機１の施錠状態においては、被係止孔２２（金属板２１）が当接面８２ａによって引き寄せられており、透過部材保持枠５の背面が支持体２の前面に圧接したまま静止しているので、透過部材保持枠５と支持体２との隙間から工具を侵入させることができない。このように、透過部材保持枠５を閉位置に強固に維持できるのは、当接面８２ａが凸状に湾曲しており、被係止孔２２を引き寄せる力が徐々に増して、そのままの状態で当接面８２ａが静止するからである。ただし、当接面８２ａを凸状に湾曲させるのではなく、例えば、当接面８２ａを、被係止孔２２に接触する先端から基端にかけて、透過部材保持枠５が閉じる方向に傾斜させても、上記と同様に遊技機１の強固な施錠状態を維持することができる。
【００４７】
上記のように、鉤部材７８を非係止位置から係止位置まで回動させるのはスライド部材７２であるが、スライド部材７２が、図１５および図１６に示す位置から図１７および図１８に示す位置まで移動することで、鉤部材７８は非係止位置から係止位置まで回動する。本実施形態においては、スライド部材７２および鉤部材７８が、図１７および図１８に示すように静止する位置を係止部材７０の施錠位置という。
そして、係止部材７０が解錠位置にあるとき、ロック部材８４は図１５および図１６に示す退避位置にあるが、係止部材７０の移動過程において、ロック部材８４は、図１７および図１８に示す抑止位置まで移動する。
【００４８】
すなわち、図１６に示すように、係止部材７０が解錠位置にあるとき、ロック用突部８４ａがスライド部材７２のロック片８７に接触することにより、ロック部材８４は退避位置に静止している。この状態からスライド部材７２が図中下方へ移動すると、これと一体となってロック片８７が図中下方へ移動する。ロック部材８４には、スプリング８６によって、常時、時計回り方向に回動する力が付与されており、ロック片８７が図１８に示す位置まで移動すると、スプリング８６の弾性力によってロック部材８４が時計回り方向に回動し、ロック片８７の移動軌跡上にロック用突部８４ａが進入する。このようにしてロック用突部８４ａがロック片８７の上方に移動すると、ロック用突部８４ａによって、ロック片８７すなわちスライド部材７２の上方への移動が規制される。これにより遊技機１の施錠状態が維持されることとなる。
【００４９】
また、上記のロック用突部８４ａは、ロック部材８４の一端側に形成されているが、このロック部材８４の他端側にはロック解除用突片８４ｂが形成されている。このロック解除用突片８４ｂは、透過部材保持枠５が閉位置にあって施錠されているときに、解錠阻止片４１の阻止面４１ａとロック解除片４２の解除面４２ａとの対向間隔に位置する。つまり、ロック部材８４は、抑止位置にあるときに、ロック用突部８４ａによってスライド部材７２の上方への移動を規制するのと同時に、ロック解除片８４ｂを、解錠阻止片４１の阻止面４１ａとロック解除片４２の解除面４２ａとの対向間隔に位置させることとなる。
【００５０】
このロック解除片８４ｂは、遊技機１を解錠する際に機能するものであるが、遊技機１の解錠操作について以下に説明する。図１８に示すように、鉤部材７８の鉤片８２が金属板２１の被係止孔２２に係止した遊技機１の施錠状態において、シリンダＳの鍵穴３２に所定の鍵を挿入して図中ｙ方向に回転させる。すると、鍵の操作に連動して錠機構３０の回転部材３４がｙ方向に回転するとともに、起立壁３４ａによって前板３６が図中下方に押し下げられる（図７）。前板３６が図中下方に押し下げられると、これと一体となってロック解除片４２および保持解除片４３が図中下方に押し下げられる。
【００５１】
図１５〜図１８では遊技盤保持枠６を省略しているが、遊技機１の施錠状態においては、透過部材保持枠５が支持体２に施錠されているとき、透過部材保持枠５と支持体２との間に遊技盤保持枠６が収容された状態で、透過部材保持枠５に保持されている。
そして、上記のようにして保持解除片４３が図中下方に押し下げられると、図１２に示すように、遊技盤保持枠６の背面に設けられた第２保持手段５２のＬ型先端部５４ａが下方に押し下げられる。このようにして第２保持部材５４が下方に押し下げられると、支持体２に設けられた遊技盤保持枠掛け止め片６０の掛け止め状態が解除される（図１３、図１４参照）。
【００５２】
また、図１８において、保持解除片４３が下方に押し下げられるのと一体となってロック解除片４２が下方に押し下げられると、解除面４２ａがロック部材８４のロック解除用突片８４ｂに接触する。つまり、シリンダＳの鍵穴３２に挿入した鍵をｙ方向に回転させると、その力がロック解除片４２の解除面４２ａからロック解除用突片８４ｂに伝達する。ロック解除片４２の解除面４２ａからロック部材８４のロック解除用突片８４ｂに力が伝達すると、スプリング８６の弾性力に抗して、ロック解除用突片８４ｂが解除面４２ａによって反時計回り方向に押し出される。これにより、ロック部材８４は、回動ピン８５を中心に反時計回り方向に回動するとともに、ロック用突部８４ａがロック片８７の移動軌跡上から退避して、図１６に示す退避位置に移動する。
【００５３】
このように、ロック部材８４が退避位置に移動すると、今度はスライド部材７２が付勢手段７５の付勢力によって図中上方に引き上げられる。スライド部材７２が図中上方に引き上げられると、その移動過程で挟持片８３ｂが鉤部材７８を図中下方から上方に押し上げるように作用する。したがって、鉤部材７８は、回動ピン７９を支点にして反時計回り方向に回動し、図示の非係止位置に移動する。
以上のように、遊技機１の施錠状態すなわち係止部材７０の施錠位置において、鍵穴３２に鍵を挿入してｙ方向に回転させると、ロック部材８４が抑止位置から退避位置へ移動するとともに、鉤部材７８が係止位置から非係止位置へ移動する。したがって、係止部材７０は、施錠位置から解錠位置へと移動することとなり、透過部材保持枠５を支持体２から開放することが可能となる。
【００５４】
上記の解錠操作は、透過部材保持枠５および遊技盤保持枠６を一体的に支持体２から開放するためのものであり、この解錠操作では、透過部材保持枠５と遊技盤保持枠６との保持は解除されない。つまり、遊技機１の施錠状態において、鍵穴３２に鍵を挿入してｙ方向に回転させると、必ず、透過部材保持枠５と遊技盤保持枠６との保持関係が維持されたまま、言い換えると、透過部材保持枠５と遊技盤保持枠６とが互いに閉じられたまま、一体となって支持体２から開放可能となる。
したがって、例えば、遊技盤１７の遊技領域において生じた球詰まりを解消したり、遊技盤１７に配設された釘等を調整したりするために、透過部材保持枠５と遊技盤保持枠６とを互いに開くためには、次の操作が必要となる。
【００５５】
すなわち、上記の解錠操作によって、まず、透過部材保持枠５および遊技盤保持枠６を一体的に支持体２から開放する。透過部材保持枠５および遊技盤保持枠６が一体的に支持体２から開放された状態で、今度は、図６に示すように、鍵穴３２に挿入した鍵をｘ方向に回転させて、後板３８を上方に押し上げる。これにより、遊技盤保持枠６の前面に位置する透過部材保持枠掛け止め片５０と（図８）、透過部材保持枠５の背面に位置する第１保持手段４０との保持関係が解消される。したがって、透過部材保持枠５と遊技盤保持枠６とを互いに開放することが可能となる。
【００５６】
一方で、本実施形態においては、遊技機１の施錠状態、すなわち透過部材保持枠５および遊技盤保持枠６が閉位置において施錠された状態では、鍵穴３２に挿入した鍵をｘ方向に回転させることができない。鍵をｘ方向に回転させると後板３８が上方に移動するとともに、これと一体となって解錠阻止片４１が上方に移動しようとする。しかしながら、図１８に示すような施錠状態では、解錠阻止片４１が上方に移動すると、阻止面４１ａがロック部材８４のロック解除用突片８４ｂに接触し、それ以上の移動が阻止されてしまう。このように、遊技機１の施錠状態では、後板３８が上方に移動することができないため、第１保持手段４０と透過部材保持枠掛け止め片５０との保持を解除することができず（図６、図８、図９）、透過部材保持枠５と遊技盤保持枠６とを互いに開くことができない。
つまり、上記のように、解錠阻止片４１が、ロック解除用突片８４ｂに対して、それを下方から上方へ押し上げるように作用しても、ロック部材８４は反時計回り方向に回転しないように設計されている。したがって、鍵をｘ方向に回転させても、ロック部材８４は図示の抑止位置に静止したままとなり、係止部材７０は施錠位置に保たれることとなる。
【００５７】
ここで、係止部材７０は、本発明の駆動源であるモーター装置Ｍの駆動力によって解錠位置から施錠位置まで移動する。図２０は、このモーター装置Ｍを簡易的に示した図であるが、この図に示すように、モーター装置Ｍはケース９０に収容されており、このケース９０がモーター固定板９１に固定されている。ケース９０には、モーター回転軸に連係する減速機が収容されており、この減速機を介して、出力軸がモーター回転軸に連係している。また、モーター固定板９１には不図示の貫通孔が設けられており、この貫通孔に上記の出力軸を貫通させるとともに、当該出力軸の先端に回転体９２が固定されている。出力軸は回転体９２の中心に固定されており、モーター装置Ｍを駆動して出力軸が回転すると、回転体９２が一体となって回転する。また、回転体９２には、出力軸の固定位置からずらした位置に連係ピン９３を突出させており、モーター装置Ｍを駆動することによって、連係ピン９３が所定の円弧を描いて回転するようにしている。
【００５８】
上記のようなモーター装置Ｍは、モーター固定板９１を介してガイド金具７１の最下端に取り付けられている。つまり、モーター装置Ｍは、モーター固定板９１およびガイド金具７１を介して支持体２の側板２ｄの下部位置に取り付けられることとなる。仮に、透過部材保持枠５や遊技盤保持枠６に係止部材７０やモーター装置Ｍを設けてしまうと、その重量が、ヒンジ４ａ，４ｂおよび枢支軸１６ａ，１６ｂへ作用するため、透過部材保持枠５や遊技盤保持枠６が長期的にがたつきやすくなる（図１、図２参照）。これに対して、支持体２は、一般的に遊技場においてボルト等で固定されるため、その重量が増しても特段の支障をきたすことはない。したがって、所定の重量を有する係止部材７０やモーター装置Ｍを、透過部材保持枠５や遊技盤保持枠６ではなく支持体２に設ければ、これらモーター装置Ｍや係止部材７０による重量増に起因して、透過部材保持枠５や遊技盤保持枠６が支持体２に対して歪むことがなくなり、長期的にがたつきを軽減することができる。しかも、モーター装置Ｍが、支持体２の側板２ｄの最下端に設けられれば、側板２ｄの歪みもほとんど生じなくなる。なお、モーター装置Ｍを支持体２の下板２ｂに設ければ、モーター装置Ｍの重量に起因するがたつきが一切生じなくなるが、本実施形態のように、モーター装置Ｍを係止部材７０に固定してユニット化すれば、施錠機構の組み付けを容易化することができる。
【００５９】
また、図１５〜図１８に示すように、モーター装置Ｍには始点検出センサ９４および終点検出センサ９５が設けられている。これら両検出センサ９４，９５は、モーター装置Ｍの出力軸すなわち連係ピン９３と一体となって回転する被検出体９６の位置を検出するものである。なお、検出センサ９４，９５および被検出体９６の構成は特に限定されず、被検出体９６の位置を検出することができれば、例えば磁気で位置を検出してもよいし光で検出してもよい。
そして、図１５〜図１８においてはモーター装置Ｍに隠れているが、スライド部材７２の最下端には、図２１に示すように、モーター装置Ｍの連係ピン９３に連係する被連係部材８８が固定されている。この被連係部材８８は、連係ピン９３の回転軌跡上に接触面８８ａを臨ませており、連係ピン９３がその回転過程で接触面８８ａにあたり、モーター装置Ｍの駆動力によって、被連係部材８８が下方に押し下げられるようにしている。
【００６０】
モーター装置Ｍの駆動力によって、係止部材７０が解錠位置から施錠位置まで移動する過程を、図２２を用いて説明する。図２２は、モーター装置Ｍに設けられた連係ピン９３と係止部材７０に設けられた被連係部材８８との連係関係、およびロック部材８４と係止部材７０との相対関係を示している。
係止部材７０が解錠位置にあるとき、スライド部材７２は付勢手段７５の付勢力によって上方に押し上げられている。すでに説明したとおり、このとき、図２２（ａ）に示すように、ロック用突部８４ａがロック片８７に接触して、ロック部材８４は退避位置に静止している。
一方、詳しくは後述するが、遊技機１が解錠されて透過部材保持枠５が開放されると、後述する制御手段１００がモーター装置Ｍを駆動して、連係ピン９３を図示の位置に到達させる。この位置においては、連係ピン９３と被連係部材８８の接触面８８ａとが非接触状態に保たれている。
【００６１】
そして、係止部材７０が図２２（ａ）に示す解錠位置にあるときに、透過部材保持枠５を閉位置まで回転させると、後述する扉検知センサ１０４が信号を検知するとともに、制御手段１００がモーター装置Ｍを駆動する。すると、図２２（ｂ）に示すように、連係ピン９３が被連係部材８８の接触面８８ａに接触するとともに、モーター装置Ｍの駆動力によって、連係ピン９３が被連係部材８８（スライド部材７２）を、付勢手段７５の付勢力に抗して下方に押し下げる。そして、被連係部材８８（スライド部材７２）は、連係ピン９３によって、図２２（ｃ）に示す位置まで下方に押し下げられる。
また、図２２（ｂ）に示す位置から図２２（ｃ）に示す位置までスライド部材７２が移動する過程で、ロック片８７と、ロック部材８４のロック用突部８４ａとの接触が断たれるとともに、スプリング８６の弾性力によってロック部材８４が時計回り方向に回動し、ロック用突部８４ａがロック片８７の上方に進入する。
【００６２】
図２２（ｃ）に示す状態からさらに連係ピン９３が回転すると、図２２（ｄ）に示すように、連係ピン９３と接触面８８ａとの接触が断たれ、付勢手段７５の付勢力によってスライド部材７２は上方に押し上げられる。このとき、ロック部材８４のロック用突部８４ａがロック片８７の上方に位置しており、ロック片８７の上端がロック用突部８４ａに接触したところで、スライド部材７２は上方への移動が規制されて図示の位置で静止する。
なお、連係ピン９３と接触面８８ａとの接触が断たれた後、図２２（ｅ）に示す位置まで連係ピン９３が回転したところで、被検出体９６が終点検出センサ９５に検出される。終点検出センサ９５によって被検出体９６が検出されると、制御手段１００がモーター装置Ｍの駆動を停止し、連係ピン９３が図２２（ｅ）に示す位置で停止することとなる。
【００６３】
上記のように、スライド部材７２（係止部材７０）は、図２２（ａ）に示す解錠位置から図２２（ｄ）に示す施錠位置まで移動するが、その際に一度、図２２（ｃ）に示す最大到達位置を経由する。つまり、スライド部材７２（係止部材７０）は、解錠位置から施錠位置へ移動するとき、施錠位置よりもスライド部材７２（係止部材７０）の移動方向前方にある最大到達位置まで移動したのち、移動方向を逆にして施錠位置へ位置することとなる。これにより、モーター装置Ｍと係止部材７０との連係が断たれた状態で、係止部材７０を施錠位置に保持することが可能となる。このように、係止部材７０は、施錠位置において、モーター装置Ｍからフリーな状態となるので、透過部材保持枠５を開放する際に、モーター装置Ｍと係止部材７０との間に抵抗がなくなり、ロック部材８４を退避位置に移動させるだけで速やかに透過部材保持枠５を開放することができる。
【００６４】
仮に、ロック部材８４が、図２２（ｄ）の上段に示すように抑止位置にあり、係止部材７０およびモーター装置Ｍが、図２２（ｃ）の下段に示すように連係したままになっているとする。この状態で鍵の操作によってロック部材８４を退避位置に移動させると、付勢手段７５の付勢力によってスライド部材７２が上方に押し上げられ、係止部材７０が解錠位置に移動しようとする。このとき、接触面８８ａと連係ピン９３とが接触状態にあるため、接触面８８ａが連係ピン９３を押し上げながら、スライド部材７２が上方に移動することとなる。
【００６５】
つまり、係止部材７０が解錠位置に移動する際に、連係ピン９３を介してモーター装置Ｍが反転することとなる。しかしながら、モーター装置Ｍには減速機が設けられており、モーター装置Ｍを反転する際の抵抗は大きい。そのため、解錠操作を行っても、速やかに遊技機１を解錠することができなくなってしまう。また、付勢手段７５に、モーター装置Ｍを反転する際の抵抗に打ち勝つ付勢力が要求されたり、モーター装置Ｍを反転することによる不具合が生じたりするおそれがある。
本実施形態のように、係止部材７０の施錠位置において、係止部材７０とモーター装置Ｍとの連係を断たせておけば、速やかに解錠することができ、また、上記のような不具合が生じることもなくなる。
【００６６】
そして、上記のようにモーター装置Ｍを駆動するのが、制御手段１００であるが、この制御手段１００は、図２３に示すように構成されている。
制御手段１００は、基板にＣＰＵ１０１、ＲＯＭ１０２およびＲＡＭ１０３を備えており、その入力側に始点検出センサ９４、終点検出センサ９５および扉検知センサ１０４が接続され、その出力側にモーター駆動装置Ｍが接続されている。
扉検知センサ１０４は、支持体２の側板２ｄに設けられた磁気センサからなり、透過部材保持枠５の側片５ｄに設けられた磁石１０５が近接したり離間したりしたときに信号を出力する（図１）。なお、本実施形態においては、係止部材７０が透過部材保持枠５を係止可能な範囲内、言い換えれば、鉤部材７８における鉤片８２の当接面８２ａが被係止孔２２に当接可能な範囲内で透過部材保持枠５が開閉したときに、扉検知センサ１０４が信号を出力する。この扉検知センサ１０４と磁石１０５とによって本実施形態の検知手段が構成される。ただし、透過部材保持枠５が、係止部材７０に係止されうる範囲内で開閉したことを検知できれば、検知手段の構成や配置は特に限定されない。
【００６７】
そして、透過部材保持枠５が開放された状態では、連係ピン９３が図２２（ａ）に示す位置に静止している。この状態で透過部材保持枠５を閉位置まで閉じると、扉検知センサ１０４が信号を出力し、当該扉検知センサ１０４から制御手段１００に信号が入力する。制御手段１００は、扉検知センサ１０４から信号が入力したことを契機として、モーター装置Ｍを制御してその駆動を開始する。そして、連係ピン９３が図２２（ｅ）まで回転したところで、今度は終点検出センサ９５から制御手段１００に信号が入力し、この信号の入力を契機として、モーター装置Ｍを制御してその駆動を停止する。このように、本実施形態においては、透過部材保持枠５を閉位置まで閉じると、扉検知センサ１０４からの信号入力を契機にモーター装置Ｍが駆動を開始し、その後、終点検出センサ９５からの信号入力を契機にモーター装置Ｍが駆動を停止する。したがって、透過部材保持枠５を閉じれば、遊技機１は自動で施錠されることとなる。
【００６８】
また、上記のように遊技機１が施錠された状態から、所定の鍵によって錠機構３０を解錠操作すると、ロック部材８４によるロックが解除されて、遊技機１は解錠状態となる。遊技機１を解錠状態にしたら、透過部材保持枠５を支持体２から開放することが可能となるが、透過部材保持枠５を開放すると、再び扉検知センサ１０４から制御手段１００に信号が入力する。制御手段１００は、扉検知センサ１０４から信号が入力したことを契機として、モーター装置Ｍを制御してその駆動を開始する。つまり、透過部材保持枠５の開放とともに連係ピン９３が空転することとなるが、その後、連係ピン９３が図２２（ａ）まで回転したところで、今度は始点検出センサ９４から制御手段１００に信号が入力し、この信号の入力を契機として、制御手段１００は、モーター装置Ｍを制御してその駆動を停止する。このように、透過部材保持枠５の開放とともに、連係ピン９３を図２２（ａ）に示す位置まで移動させておくことで、透過部材保持枠５を閉じてから施錠が完了するまでの時間を短縮することができる。
【００６９】
なお、上記したとおり、本実施形態によれば、支持体２にロック部材８４が設けられ、このロック部材８４を抑止位置から退避位置へ移動させるだけで、瞬時にかつ容易に遊技機１を解錠することができる。しかしながら、このことは、ロック部材８４を退避位置へ移動させるだけで遊技機１を解錠することができるという優れた点を有する一方で、ロック部材８４が不正に退避位置へ移動させられてしまい、不正に遊技機１が解錠されてしまうという不安をも同時に与えかねない。
【００７０】
本実施形態のように、モーター装置Ｍの駆動力によって、透過部材保持枠５の背面が支持体２の前面に強力に圧接していれば、工具等を隙間から侵入させて、不正にロック部材８４を退避位置へ移動させることはできない。しかしながら、一般的に透過部材保持枠５は、軽量化や装飾性の向上等の観点から合成樹脂で成形されるため、支持体２に比べて破壊行為には脆い。そのため、透過部材保持枠５におけるロック部材８４の近傍を破壊したり変形させたりしたうえで、ロック部材８４を退避位置へ移動させるという不正行為が行われる可能性がある。
【００７１】
ところが、本実施形態においては、透過部材保持枠５と支持体２との間に遊技盤保持枠６が位置しており、遊技機１の施錠状態では、ロック部材８４の前面が遊技盤保持枠６に被覆されている。つまり、遊技盤保持枠６が支持体２に保持された状態を、遊技盤保持枠６の正面から見た場合、ロック部材８４は、そのロック解除用突片８４ｂのみが部分的に貫通孔５１から露出し、他の部分は遊技盤保持枠６に被覆されて正面側から確認することができない。したがって、仮に透過部材保持枠５を破壊したり変形させたりしても、ロック部材８４を退避位置に移動させるためには、さらに遊技盤保持枠６を破壊もしくは変形させなければならず、遊技機１の不正解錠を短時間で行うことはできない。
【００７２】
このように、本実施形態においては、透過部材保持枠５を支持体２に施錠するときに、遊技盤保持枠６が、ロック部材８４を隠すための被覆部材として機能することにより、不正な解錠が一層困難となる。
なお、本実施形態においては、遊技盤保持枠６に被覆部材としての機能を併用させたが、遊技盤保持枠６とは別に、専用の被覆部材を設けるようにしてもよい。例えば、ロック部材８４の前面を被覆する金属製の薄板部材からなる被覆部材を支持体２に固定する。このとき、被覆部材が、解錠阻止片４１、ロック解除片４２、および保持解除片４３と干渉せず、また、ロック解除用突片８４ｂとロック解除片４２との連係、およびロック部材８４の回動を阻害しないような形状にすれば、上記と同様に、不正な解錠を困難にすることができる。
【００７３】
以上、本実施形態によれば、モーター装置Ｍの動力によって係止部材７０を解錠位置から施錠位置まで移動させるので、透過部材保持枠５や遊技盤保持枠６が重いものであっても、これらを支持体２に対して密着させて施錠することが可能となり、また、中途半端な施錠がなくなって、不正対策を強化することができる。
しかも、人手による鍵の操作によって透過部材保持枠５や遊技盤保持枠６を開放することができるので、透過部材保持枠５や遊技盤保持枠６の開放時にモーター装置Ｍを作動させる必要がなくなり、速やかな開放ならびにメンテナンス作業を実現することができる。このように、本実施形態によれば、モーター装置Ｍの動力を用いた施錠操作による不正対策の強化と、錠機構３０を用いた解錠操作による速やかなメンテナンス作業とを両立することができる。
【００７４】
なお、本実施形態においては、係止部材７０を構成するスライド部材７２および鉤部材７８が連動することにより施錠および解錠が行われるようにしている。つまり、係止部材７０を複数の部材で構成し、これらが異なる動作をするようにしているが、例えば、スライド部材７２および鉤部材７８を一体に上下方向に移動するようにして係止部材７０を構成してもよい。いずれにしても、解錠位置と施錠位置との間の移動によって、被係止孔２２に対して係止したり、あるいはその係止状態が解除されたりすれば、係止部材７０の詳細な構成は特に限定されない。したがって、例えば、係止部材７０が直線運動ではなく、回転運動する構成であっても構わない。
【００７５】
また、本実施形態においては、モーター装置Ｍを係止部材７０に一体的に固定してユニット化しているが、例えば、モーター装置Ｍを支持体２に直接固定するようにしてもよい。このとき、モーター装置Ｍを固定する場所は特に問わないが、本実施形態のように、扉体３の枢支側に設けるよりも、扉体３の開放端側に設けることが望ましい。なぜなら、係止部材７０は扉体３の開放端側に設けられるため、モーター装置Ｍが枢支側に設けられてしまうと、係止部材７０とモーター装置Ｍとの距離が大きくなってしまい、両者の連結構造が複雑になるからである。また、支持体２や扉体３には、制御基板やさまざまな部品が多数取り付けられており、また、これらを結ぶ配線も多数設けられている。こうした環境下で、さらにモーター装置Ｍと係止部材７０とを連結する連結構造を設けるとなると、そのスペースの確保が困難になる。したがって、係止部材７０とモーター装置Ｍとの連結構造を簡素化するとともに、省スペース化を向上する観点から、モーター装置Ｍを、支持体２や扉体３の幅方向中央よりも開放端側に設けることが望ましい。
なお、本実施形態においては、支持体２および扉体３を、矩形の囲繞空間を有する枠体で構成したが、これらは枠体に限らず、例えば板状の平面部材等で構成してもよい。
【符号の説明】
【００７６】
１  遊技機
２  支持体
２ａ  上板
２ｂ  下板
２ｃ，２ｄ  側板
３  扉体
４ａ，４ｂ  ヒンジ
５  透過部材保持枠
５ａ  上辺
５ｂ  下辺
５ｃ，５ｄ  側辺
６  遊技盤保持枠
６ａ  上辺
６ｂ  下辺
６ｃ，６ｄ  側辺
７  透過部材
８  補強金具
９  装飾ランプ
１０  操作ハンドル
１１  上皿
１２  スピーカー
１３  供給路
１４  制御基板
１５  装飾部材
１６ａ，１６ｂ  枢支軸
１７  遊技盤
１８  液晶表示装置
１９  スピーカー
２０  発射装置
２１  金属板
２２  被係止孔
３０  錠機構
３１  固定板
３２  鍵穴
３３  ピン
３４  回転部材
３４ａ  起立壁
３５  ガイドピン
３６  前板
３６ａ  フック
３６ｂ  長穴
３６ｃ  切り欠き部
３７  中板
３７ｃ  切り欠き部
３８  後板
３８ａ  フック
３８ｂ  長穴
３８ｃ  切り欠き部
３９  スプリング
４０  第１保持手段
４０ａ  第１保持部材
４０ｂ  第１ガイド
４１  解錠阻止片
４１ａ  阻止面
４２  ロック解除片
４２ａ  解除面
４３  保持解除片
５０  透過部材保持枠掛け止め片
５０ａ  傾斜面
５０ｂ  保持面
５１  貫通孔
５２  第２保持手段
５３  第２ガイド
５４  第２保持部材
５４ａ  Ｌ型先端部
６０  遊技盤保持枠掛け止め片
６０ａ  傾斜面
６０ｂ  保持面
７０  係止部材
７１  ガイド金具
７１ａ  平面
７１ｂ  ガイド溝
７２  スライド部材
７３  長孔
７４  ガイドピン
７５  スプリング
７６  ストッパー
７７  段部
７８  鉤部材
７９  回動ピン
８０  長孔
８１  ガイドピン
８２  鉤片
８２ａ  当接面
８３ａ，８３ｂ  挟持片
８４  ロック部材
８４ａ  ロック用突部
８４ｂ  ロック解除用突片
８５  回動ピン
８６  スプリング
８７  ロック片
８８  被連係部材
８８ａ  接触面
９０  ケース
９１  モーター固定板
９２  回転体
９３  連係ピン
９４  始点検出センサ
９５  終点検出センサ
９６  被検出体
１００  制御手段
１０１  ＣＰＵ
１０２  ＲＯＭ
１０３  ＲＡＭ
１０４  扉検知センサ
１０５  磁石
シリンダ  Ｓ
モーター装置  Ｍ
【図１】
2010187867.tif 000003
【図２】
2010187867.tif 000004
【図３】
2010187867.tif 000005
【図４】
2010187867.tif 000006
【図５】
2010187867.tif 000007
【図６】
2010187867.tif 000008
【図７】
2010187867.tif 000009
【図８】
2010187867.tif 000010
【図９】
2010187867.tif 000011
【図１０】
2010187867.tif 000012
【図１１】
2010187867.tif 000013
【図１２】
2010187867.tif 000014
【図１３】
2010187867.tif 000015
【図１４】
2010187867.tif 000016
【図１５】
2010187867.tif 000017
【図１６】
2010187867.tif 000018
【図１７】
2010187867.tif 000019
【図１８】
2010187867.tif 000020
【図１９】
2010187867.tif 000021
【図２０】
2010187867.tif 000022
【図２１】
2010187867.tif 000023
【図２２】
2010187867.tif 000024
【図２３】
2010187867.tif 000025